(57)【要約】【課題】揮散体同士がくっつくことを抑制することができる薬剤容器及び当該薬剤容器を備えた薬剤揮散器を提供する。【解決手段】薬剤容器２は、揮散体１０を挿入する開口５０を上部に有するとともに内部に液状薬剤の収容空間３０を有するものであって、開口５０を形作る内壁面５１を有する口部５を備え、口部５の内壁面５１には、開口５０から挿入された揮散体１０が嵌まる嵌入部６が周方向に沿って複数設けられている。【選択図】図１
2020001743.tif 000002
【特許請求の範囲】
【請求項１】
揮散体を挿入する開口を上部に有するとともに内部に液状薬剤の収容空間を有する薬剤容器であって、
前記開口を形作る内壁面を有する口部を備え、
前記口部の内壁面には、前記開口から挿入された前記揮散体が嵌まる嵌入部が周方向に沿って複数設けられている、薬剤容器。
【請求項２】
前記嵌入部は、前記口部の内壁面に形成される凹部により構成される、請求項１に記載の薬剤容器。
【請求項３】
前記嵌入部は、前記口部の内壁面から突き出る一対の突起の間の凹部により構成される、請求項１に記載の薬剤容器。
【請求項４】
前記口部の内壁面は断面視多角形状を呈しており、前記嵌入部は、前記多角形の角により構成される、請求項１に記載の薬剤容器。
【請求項５】
前記嵌入部は、隣り合う前記嵌入部と前記口部の内壁面の周方向に間隔をおいて設けられている、請求項１〜３のいずれかに記載の薬剤容器。
【請求項６】
前記嵌入部は、前記開口に向かうに連れて下降するように傾斜している、請求項１〜５のいずれかに記載の薬剤容器。
【請求項７】
前記口部の内壁面は、下側の鉛直面と、上側の傾斜面とで構成されており、前記傾斜面は、前記開口に向かうに連れて下降するように傾斜している、請求項１〜６のいずれかに記載の薬剤容器。
【請求項８】
前記口部の上端に前記口部を囲むように設けられる天面部をさらに備え、
前記天面部の上面は、前記口部の内壁面と連なるとともに前記開口に向かうに連れて下降するように傾斜している、請求項１〜７のいずれかに記載の薬剤容器。
【請求項９】
請求項１〜８のいずれかに記載の薬剤容器と、
前記開口から前記薬剤容器に挿入される複数の揮散体と、を備える薬剤揮散器。
【発明の詳細な説明】
【技術分野】
【０００１】
本発明は、芳香剤、消臭剤などの揮散性を有する液状薬剤を揮散させる薬剤揮散器に用いられる薬剤容器、及び当該薬剤容器を備えた薬剤揮散器に関する。
【背景技術】
【０００２】
室内や車内などの空間の臭気による不快感をなくし、快適な空間を生み出すために、液状薬剤を自然に揮散させる薬剤揮散器が広く使用されている。この種の薬剤揮散器として、例えば特許文献１には、液状薬剤を収容した薬剤容器内に複数の棒状の揮散体を挿入したものが開示されている。特許文献１の薬剤揮散器は、各揮散体の下端側の一部分が液状薬剤に浸漬する一方で、各揮散体の上端側の一部分は薬剤容器の上部開口から突き出ており、薬剤容器内の液状薬剤を各揮散体により吸い上げて薬剤容器外に揮散することで、芳香効果などを発揮している。
【０００３】
薬剤揮散器は、リビングや玄関などの人の目に触れる場所に設置される場合が多く、近年、インテリア性を高めた薬剤揮散器に対するニーズが高まっている。そのため、揮散体にはラタンや植物などの天然素材、造花、樹脂スティックなどが主に用いられている。
【先行技術文献】
【特許文献】
【０００４】
【特許文献１】特開２０１６−１２４６０３号公報
【発明の概要】
【発明が解決しようとする課題】
【０００５】
この種の薬剤揮散器は、揮散体が液状薬剤を吸い上げるため、揮散体は液状薬剤により濡れた状態で薬剤容器内に立て掛けられている。しかし、揮散体の表面が濡れていると、揮散体同士がくっつきやすく、複数の揮散体がくっついて密集すると、その分、揮散体の表面積が減少するために液状薬剤の揮散量が低下するうえ、薬剤揮散器のインテリア性が損なわれるという点で改良の余地がある。
【０００６】
本発明は、上記課題を解決するためになされたものであり、揮散体同士がくっつくことを抑制することができる薬剤容器及び薬剤揮散器を提供することを目的とする。
【課題を解決するための手段】
【０００７】
本発明の薬剤容器は、揮散体を挿入する開口を上部に有するとともに内部に液状薬剤の収容空間を有する薬剤容器であって、前記開口を形作る内壁面を有する口部を備え、前記口部の内壁面には、前記開口から挿入された前記揮散体が嵌まる嵌入部が周方向に沿って複数設けられていることを特徴とする。
【０００８】
本発明の薬剤容器においては、前記嵌入部は、前記口部の内壁面に形成される凹部により構成されることが好ましい。
【０００９】
また、本発明の薬剤容器においては、前記嵌入部は、前記口部の内壁面から突き出る一対の突起の間の凹部により構成されることが好ましい。
【００１０】
また、本発明の薬剤容器においては、前記口部の内壁面は断面視多角形状を呈しており、前記嵌入部は、前記多角形の角部により構成されることが好ましい。
【００１１】
また、本発明の薬剤容器においては、前記嵌入部は、隣り合う前記嵌入部と前記口部の内壁面の周方向に間隔をおいて設けられていることが好ましい。
【００１２】
また、本発明の薬剤容器においては、前記嵌入部は、前記開口に向かうに連れて下降するように傾斜していることが好ましい。
【００１３】
また、本発明の薬剤容器においては、前記口部の内壁面は、下側の鉛直面と、上側の傾斜面とで構成されており、前記傾斜面は、前記開口に向かうに連れて下降するように傾斜していることが好ましい。
【００１４】
また、本発明の薬剤容器においては、前記口部の上端に前記口部を囲むように設けられる天面部をさらに備え、前記天面部の上面は、前記口部の内壁面と連なるとともに前記開口に向かうに連れて下降するように傾斜していることが好ましい。
【００１５】
本発明の薬剤揮散器は、上述した構成の薬剤容器と、前記薬剤容器内に挿入される複数の揮散体と、を備えることを特徴とする。
【発明の効果】
【００１６】
本発明によれば、口部の内壁面に複数の嵌入部が周方向に沿って設けられているので、口部の開口から薬剤容器に挿入した複数の揮散体をそれぞれ嵌入部に嵌めた状態で口部の内壁面に立て掛けることにより、嵌入部によって各揮散体の口部の内壁面に沿った移動を抑制することができる。よって、例えば薬剤容器を移動させたり、揮散体に手が触れるなどしても、揮散体は、口部の内壁面に沿って移動することが規制されているので、揮散体同士がくっついて密集することを抑制することができ、揮散量の低下やインテリア性が損なわれることを防ぐことができる。
【図面の簡単な説明】
【００１７】
【図１】本発明の一実施形態の薬剤揮散器の斜視図である。
【図２】図１の薬剤揮散器の平面図である。
【図３】本発明の一実施形態の薬剤容器の縦断面図である。
【図４】キャップの平面図である。
【図５】キャップの底面図である。
【図６】嵌入部（凹部）を拡大して示す斜視図である。
【図７】嵌入部（凹部）の断面視形状を概略的に示す断面図である。
【図８】変形例の嵌入部（凹部）を有するキャップの平面図である。
【図９】変形例の嵌入部（凹部）を拡大して示す斜視図である。
【図１０】突起及び変形例の嵌入部（凹部）の断面視形状を概略的に示す断面図である。
【図１１】揮散体が嵌入部に嵌まる状態を概略的に例示する断面図である。
【図１２】揮散体の横断面図である。
【図１３】揮散体が液状薬剤を吸い上げた時の横断面を概略的に示す断面図である。
【図１４】変形例の揮散体が液状薬剤を吸い上げた時の横断面を概略的に示す断面図である。
【図１５】液滴の接触角を説明する説明図である。
【図１６】変形例の嵌入部（凹部）を有するキャップの平面図である。
【発明を実施するための形態】
【００１８】
以下、本発明の実施形態について、添付図面を参照して説明する。
【００１９】
図１及び図２は、本実施形態の薬剤揮散器１を示している。薬剤揮散器１は、液状薬剤Ｌを収容する薬剤容器２と、薬剤容器２に挿入される複数の揮散体１０とを備えている。複数の揮散体１０は、下端側の一部分が薬剤容器２内で液状薬剤Ｌに浸漬する一方で、上端側の一部分は薬剤容器２上で露出している。薬剤揮散器１は、薬剤容器２内の液状薬剤Ｌを複数の揮散体１０により吸い上げて薬剤容器２外に揮散することで、薬剤揮散器１が設置された周囲の空間に対して液状薬剤の薬効を発揮する。
【００２０】
液状薬剤Ｌは、揮散性（薬効徐放性）を有し、空気中に徐々に薬剤を揮散することで薬効を奏するものである。液状薬剤Ｌは、例えば芳香剤、消臭剤、防虫剤などを例示することができるが、特に限定されるものではなく、使用目的に応じて、香料、消臭剤成分、防虫剤成分、着色料などを単独又は組み合わせて含ませることができる。液状薬剤Ｌに含まれる溶媒は、使用される添加剤の種類に応じて適宜選択され、親水性溶媒又は親油性溶媒、あるいはこれらの混合物とすることができる。液状薬剤Ｌが香料を含む場合には、その香り強度を高めるために、溶媒として少なくとも親油性溶媒を含むことが好ましい。親水性溶媒としては、例えば、水又はエタノール、あるいはこれらの混合物を使用することができる。親油性溶媒としては、例えば、グリコールエーテル又はイソパラフィン系溶媒、あるいはこれらの混合物を使用することができる。なお、液状薬剤には、香料、消臭成分、防虫成分、着色料などを可溶化させるために、溶解剤が含まれていてもよい。
【００２１】
薬剤容器２は、図１〜図３に示すように、上部に揮散体１０を挿入する開口５０を有し、内部に液状薬剤Ｌの収容空間３０を有する有底の容器である。本実施形態では、薬剤容器２は、収容空間３０を有する容器本体３と、開口５０を有する筒状の口部５を備えていて容器本体３に着脱自在なキャップ４とで構成されている。
【００２２】
容器本体３は、透明、半透明及び不透明のいずれであってもよく、また、無色及び有色のいずれであってもよい。なお、半透明とは、透明度が完全に透明ではないが、内部を視認することが可能な透明度を有していることをいう。容器本体３が透明又は半透明であると、外部から容器本体３内を視認可能となり、例えば容器本体３内の液状薬剤Ｌの残量を確認することができるので好ましい。容器本体３の材質は、特に限定されるものではなく、例えばガラス製やプラスチック製、陶器製とすることができ、美観を考慮して適宜素材が選択される。
【００２３】
容器本体３は、図３に示すように、首部３１と、首部３１の下端に連続する肩部３２と、肩部３２に連続する中空の胴部３３と、胴部３３の下端に連続する底部３４とを備えている。
【００２４】
首部３１は、液状薬剤Ｌの注入口を有する筒状を呈している。また、首部３１は、キャップ４を容器本体３に取り付けた際に口部５が内側を挿通することが可能な大きさに形成されており、口部５の開口５０が首部３１の注入口に位置することで開口５０に差し込まれた揮散体１０が容器本体３に挿入される。
【００２５】
肩部３２は、首部３１よりも大きい平面視円形状の平坦な上面部３２Ａと、上面部３２Ａの外周縁から垂れ下がる側面部３２Ｂと、側面部３２Ｂの下端に連なる平面視円形状の平坦な下面部３２Ｃとを有している。下面部３２Ｃは、キャップ４を容器本体３に取り付けた際にキャップ４の外側周壁部４１が外周縁上に当接することが可能な大きさに形成されている。
【００２６】
キャップ４は、図１〜図５に示すように、平面視円形状の天面部４０と、天面部４０の外周縁から垂れ下がる筒状の外側周壁部４１と、外側周壁部４１の内側において天面部４０より垂れ下がる筒状の内側周壁部４２とを備えている。また、本実施形態では、キャップ４が筒状の口部５を備えている。天面部４０の中央には揮散体１０を挿入するための開口５０が開いており、天面部４０は口部５の上端に口部５を囲むように設けられている。
【００２７】
キャップ４の材質は、特に限定されるものではなく、例えば金属製やプラスチック製とすることができ、美観を考慮して適宜素材が選択される。
【００２８】
天面部４０は、その上面が口部５の内壁面５１と連なっている。天面部４０は、本実施形態では、開口５０に向かうに連れて下降するように傾斜しており、天面部４０の上面も同様に傾斜した状態で口部５の内壁面５１と連なっている。
【００２９】
外側周壁部４１は、下方にいくにしたがって外径が大きくなる逆テーパ状を呈している。外側周壁部４１は、キャップ４を容器本体３に取り付けた際に、その下端が容器本体３の肩部３２の下面部３２Ｃの外周縁上に当接する。これにより、容器本体３の首部３１や肩部３２を覆って隠すことができる。
【００３０】
内側周壁部４２は、外側周壁部４１と同心円状に天面部４０に設けられており、外側周壁部４１よりも高さが低い。内側周壁部４２は、キャップ４を容器本体３に取り付けた際に、その内周面が容器本体３の首部３１の外周面に当接する。これにより、キャップ４を容器本体３に適切に位置決めした状態で取り付けることができる。
【００３１】
口部５は、所定の肉厚を有する筒状を呈しており、内側に開口５０を有している。開口５０は、口部５の内壁面５１により形作られている。口部５の内壁面５１は、本実施形態では、上下方向に延びる下側の鉛直面５１Ａと、鉛直面５１Ａに連なる上側の傾斜面５１Ｂとで構成されており、傾斜面５１Ｂが天面部４０の上面と連なっている。傾斜面５１Ｂは、天面部４０の上面よりも急な傾斜角度で、開口５０に向かうに連れて下降するように傾斜している。
【００３２】
口部５の内壁面５１には、上端側の所定位置に、嵌入部６が周方向に沿って複数設けられている。嵌入部６は、図１〜図４及び図６に示すように、例えば口部５の内壁面５１に一部分を凹ませて形成した凹部５２により構成することができる。凹部５２は、所定の幅ｗ、深さｈ及び長さｌを有している。
【００３３】
凹部５２は、口部５の内壁面５１の鉛直面５１Ａに上下方向に延びるように設けられてもよいが、本実施形態では、内壁面５１の傾斜面５１Ｂ及び鉛直面５１Ａに跨がって設けられており、傾斜面５１Ａよりも急な傾斜角度で、開口５０に向かうに連れて下降するように傾斜していて、上縁よりも下縁の方が開口５０側に位置している。開口５０から薬剤容器２に挿入された揮散体１０は、傾斜した状態で口部５の内壁面５１に立て掛けられるが、凹部５２が傾斜していることで、揮散体１０のより広範囲を凹部５２に嵌めた状態で揮散体１０を口部５の内壁面５１に立て掛けることができる。
【００３４】
凹部５２の形状は、特に限定されるものではなく、本実施形態では図７（ａ）に示すように断面視矩形状を呈しているが、例えば断面視でＣ字状（図７（ｂ））、台形状（図７（ｃ））、半円などの円弧状（図７（ｄ））、三角形状（図７（ｅ））など、種々の形状とすることができる。
【００３５】
なお、凹部５２は、図示例では、長さｌの方向において深さｈが変化しているが、長さｌの方向で深さｈが一定となっていてもよい。また、図示例では、凹部５２は、長さｌの方向の中央で深さｈが最も深く長さ方向の一方側及び他方側に向かうに連れて次第に深さが浅くなっているが、例えば長さｌの方向の一方側に向かうに連れて次第に深さが深く又は浅くなることで、長さｌの方向において深さｈが変化していてもよい。
【００３６】
嵌入部６は、図８及び図９に示すように、口部５の内壁面５１から突き出る一対の突起５３の間の凹部５４により構成することもできる。突起５３は、口部５の内壁面５１の鉛直面５１Ａに上下方向に延びるように設けられてもよいし、傾斜面５１Ｂに斜めに延びるように設けられていてもよい。突起５３を口部５の内壁面５１の傾斜面５１Ｂに設けると、凹部５４は傾斜面５１Ｂに沿って傾斜するので、開口５０から薬剤容器２に挿入された揮散体１０をより広範囲で凹部５２に嵌めた状態で揮散体１０を口部５の内壁面５１に立て掛けることができる。凹部５４は、突起５３の間隔、高さ、長さに相当する所定の幅ｗ、深さｈ及び長さｌを有している。
【００３７】
突起５３の形状は、特に限定されるものではなく、図８及び図９の例では図１０（ａ）に示すように断面視矩形状を呈しているが、例えば断面視で台形状（図１０（ｂ））、両側が括れた形状（図１０（ｃ））、三角形状（図１０（ｄ））、半円形状（図１０（ｅ））、円形状（図１０（ｆ））など、種々の形状とすることができる。
【００３８】
なお、突起５３は、図示例では、長さ方向（凹部５４の長さｌの方向）において高さが一定となっているが、長さ方向において高さが変化していてもよい。例えば長さ方向の一方側に向かうに連れて次第に高さが低く又は高くなっていてもよいし、長さ方向の中央で高さが最も高く長さ方向の一方側及び他方側に向かうに連れて次第に高さが低くなっていてもよい。これにより、凹部５４の深さｈも長さｌの方向において変化する。
【００３９】
開口５０から挿入される揮散体１０は、口部５の内壁面５１に立て掛けられる。嵌入部６は、口部５の内壁面５１において、開口５０から挿入された揮散体１０が嵌まる部分である。なお、揮散体１０が嵌まるとは、揮散体１０の全部又は一部分が嵌入部６の内側に入ることを意味し、例えば図１１（ａ）〜（ｅ）に示すように揮散体１０の全部又は一部分が嵌入部６（凹部５２，５４）の内側に入って揮散体１０が嵌入部６（凹部５２，５４）に落ち込む、例えば図１１（ｆ）に示すように揮散体１０の一部分が嵌入部６（凹部５２）の内側にぴったりと嵌まって揮散体１０が嵌入部６に密着する、又は、例えば図１１（ｇ）〜（ｊ）に示すように揮散体１０の一部分が嵌入部６（凹部５２，５４）の内側において挟まれて揮散体１０の両側が嵌入部６（凹部５２，５４）により押えられるなどすることにより、揮散体１０が嵌入部６（凹部５２，５４）に拘束されて口部５の内壁面５１に沿って移動し難くなる状態を指す。このように、口部５の開口５０から挿入されて内壁面５１に立て掛けられた複数の揮散体１０がそれぞれ嵌入部６の内側に入って嵌まることで、複数の揮散体１０は口部５の内壁面５１に沿って移動することが規制されるので、揮散体１０同士がくっついて密集することを抑制することができる。
【００４０】
凹部５２，５４の幅ｗは、特に限定されるものではなく、揮散体１０の太さに応じて適宜設定されるが、揮散体１０の太さ以上の幅であると、揮散体１０が凹部５２，５４に落ち込んだり、嵌合して揮散体１０が凹部５２，５４に保持されるので、本発明の効果を効果的に発揮することができる。例えば揮散体１０の太さが１．０ｍｍである場合は、凹部５２，５４の幅ｗは１．０ｍｍ以上が好ましく、１．５ｍｍ以上がより好ましく、２．０ｍｍ以上がさらに好ましい。一方で、凹部５２，５４の幅ｗは、大きすぎると、１つの凹部５２，５４の内側に複数の揮散体１０が入りやすくなるので、揮散体１０の太さが１．０ｍｍである場合は、凹部５２，５４の幅ｗは４．０ｍｍ以下が好ましく、３．０ｍｍ以下がより好ましい。なお、凹部５２，５４の幅ｗは、凹部５２，５４の底部とは反対側の頂部位置における開口広さを指す。
【００４１】
凹部５２，５４の深さｈは、特に限定されるものではなく、揮散体１０の太さに応じて適宜設定されるが、揮散体１０の太さの半分以上が凹部５２，５４の内側に入り込む深さであると、揮散体１０が凹部５２，５４に保持されやすくなるので、本発明の効果を効果的に発揮することができる。例えば揮散体１０の太さが１．０ｍｍである場合は、凹部５２，５４の深さｈは０．５ｍｍ以上が好ましく、１．０ｍｍ以上がより好ましく、２．０ｍｍ以上がさらに好ましい。一方で、凹部５２，５４の深さｈは、大きすぎると、口部５の開口５０を大きくする必要があるため、揮散体１０の太さが１．０ｍｍである場合は、凹部５２，５４の深さｈは５．０ｍｍ以下が好ましく、４．０ｍｍ以下がより好ましい。
【００４２】
凹部５２，５４の長さｌは、特に限定されるものではないが、長さが大きいと、揮散体１０のより多くの部分が凹部５２，５４の内側に入り、凹部５２，５４により揮散体１０を効果的に拘束して移動し難くすることができるために好ましく、例えば２．０ｍｍ以上が好ましく、４．０ｍｍ以上がより好ましく、６．０ｍｍ以上がさらに好ましい。
【００４３】
凹部５２，５４の断面視形状は、特に限定されるものではないが、図７（ａ）〜（ｃ）及び図１０（ａ）〜（ｃ）に示すような、凹部５２，５４の幅が底部から頂部まで一定である又は頂部のほうが底部よりも小さい形状であると、揮散体１０が凹部５２，５４から抜け出し難くなるため、本発明の効果を効果的に発揮することができる。
【００４４】
凹部５２，５４は、口部５の内壁面５１において、周方向に隣り合う凹部５２，５４との間に間隔ｓ（図６や図９に示す）をおいて設けられていることが好ましい。隣り合う凹部５２，５４の間に間隔ｓを設けることで、揮散体１０が隣り合う凹部５２，５４に移動し難くなるため、揮散体１０同士がくっついて密集することをより効果的に抑制することができる。凹部５２，５４同士の間隔（周方向の長さ）ｓは１．０ｍｍ以上が好ましく、２．０ｍｍ以上がより好ましく、３．０ｍｍ以上がさらに好ましい。一方で、凹部５２，５４同士の間隔ｓは、大きすぎると、口部５の開口５０を大きくする必要があるため、凹部５２，５４同士の間隔ｓは６．０ｍｍ以下が好ましく、５．０ｍｍ以下がより好ましい。なお、隣り合う凹部５２，５４の間に必ずしも間隔ｓをあける必要はなく、凹部５２，５４を周方向に間隔ｓをあけることなく連続して設けてもよい。
【００４５】
揮散体１０は、長手形状を呈しており、本実施形態では棒状を呈している。長手形状とは、一方向における長さが、前記一方向と直交する方向における長さよりも十分に長い形状をいう。なお、揮散体１０は、必ずしも棒状を呈している必要はなく、例えば細長い板状を呈していてもよい。
【００４６】
揮散体１０の長さ（長手方向の大きさ）は、上端が薬剤容器２の上部の開口５０から突き出て、下端が薬剤容器２の底部３４の内底面（好ましくは内底面の外周部分）に達する長さであれば、特に限定されるものではなく、薬剤容器２の大きさにもよるが、例えば１１０ｍｍ以上１９０ｍｍ以下とすることができる。
【００４７】
揮散体１０の太さは、特に限定されるものではないが、細い方が薬剤揮散器１を外部から視認した際に揮散体１０が外観上目立たず、デザイン性の観点から好ましい一方で、細すぎると折れやすくなるため、１．０ｍｍ以上４．０ｍｍ以下とすることが好ましい。また、揮散体１０が細くて軽い場合には、揮散体１０がより移動しやすいので本発明の効果を発揮しやすい。なお、揮散体１０の太さは、揮散体１０の横断面が内接する円の直径で定義することができる。
【００４８】
揮散体１０は、長手方向に垂直な断面視において、図１２に示すように、毛細管現象により液状薬剤Ｌを吸い上げることができるように、液状薬剤Ｌが長手方向に吸い上げられる流路となる微細な筋状の溝１１を外周に周方向に間隔をあけて複数備えている。揮散体１０は、軸部１２と、軸部１２の外周面から突き出るとともに軸部１２の外周面を長手方向に延びる複数の突条１３とで構成されており、周方向に隣り合う突条１３の間に溝１１が存在している。軸部１２の横断面の外形は、必ずしも円形状である必要はなく、楕円形状、三角形状や四角形状などの多角形状など、種々の形状とすることができる。突条１３の形状（溝１１の形状）は特に限定されないが、本実施形態では、複数の突条１３が軸部１２の中心から放射状に広がっている。そのため、隣り合う突条１３の間隔（周方向の長さ）は、突条１３の頂部１３Ａに向かうに連れて徐々に広がっている、言い換えれば、溝１１の幅は、溝底１１Ａから外部空間側に向かうに連れて徐々に広がっている。
【００４９】
揮散体１０の溝１１の幅（溝底１１Ａにおける幅）Ｗは、特に限定されるものではないが、常温で液状薬剤Ｌを迅速に吸い上げることができるように、０．０１ｍｍ以上０．１５ｍｍ以下とすることが好ましい。また、揮散体１０の溝１１の深さ（軸部１２の外周面からの突条１３の高さ）Ｈは、特に限定されるものではないが、溝１１が深すぎると突条１３が折れやすくなる一方で、溝１１が浅すぎると吸い上げることができる液状薬剤Ｌが少なくなるため、０．１ｍｍ以上１．０ｍｍ以下とすることが好ましい。
【００５０】
揮散体１０は、毛細管現象によって液状薬剤２を好適に吸い上げることができれば、複数の溝１１に代えて又は複数の溝１１に加えて、他の液状薬剤Ｌの流路を備えていてもよい。例えば、揮散体１０を中空構造とすることで、揮散体１０の内部の長手方向に延びる空洞１４を液状薬剤Ｌの流路とすることができる。この場合には、揮散体１０の内周面に微細な溝をさらに設けてもよい。
【００５１】
揮散体１０は、透明な材料で形成されることが好ましい。透明な材料は、無色及び有色のいずれであってもよい。揮散体１０が透明な材料で形成されていることにより、揮散体１０は、光の透過性を有することから、液状薬剤Ｌの中において液状薬剤Ｌとの境界で光が反射・屈折し難くなる。よって、薬剤容器２の外側から揮散体１０を見たときに、揮散体１０の液状薬剤Ｌに浸漬している部分は大きく屈折して見えないため、揮散体１０の液状薬剤Ｌに浸漬している部分が液状薬剤Ｌの液面で折れて見えたり、実際よりも大きく見えたりすることを抑制することができる。そのうえ、外周の複数の溝１１により揮散体１０の外面において光を反射する面が多くなり、光が乱反射することで全体としてキラキラと輝くように見える。これにより、薬剤容器２の外側から揮散体１０を見たときに、揮散体１０の液状薬剤Ｌに浸漬している部分が多少は屈折して見えたとしても、薬剤容器２内で多数の揮散体１０が雑然としているとの印象を与えるというより、多数の揮散体１０により薬剤容器２がキラキラと輝いた印象を与える。そのため、多数の揮散体１０が薬剤容器２内に挿入されていても薬剤揮散器１の美観を向上でき、薬剤揮散器１のインテリア性を高めることができる。さらに、液状薬剤Ｌに色が付いていても、揮散体１０がキラキラと輝くことにより、各溝１１内で吸い上げられる有色の液状薬剤Ｌが視認し難くなる。よって、揮散体１０が液状薬剤Ｌの吸い上げ前と見た目がさほど変わらずに見え、揮散体１０が液状薬剤Ｌで濡れているようには見えなくすることができる。なお、揮散体１０を無色透明な材料で形成すると、液状薬剤Ｌの色を問わずに当該効果を好適に発揮させることができる。
【００５２】
加えて、揮散体１０は、外周の溝１１及び／又は内部の空洞１４を液状薬剤Ｌが吸い上げにより通過することで、液状薬剤Ｌの中でより光が透過して液状薬剤Ｌとの境界で光が反射・屈折し難くなるので、液状薬剤Ｌの中で揮散体１０を見えにくくすることができる。よって、多数の揮散体１０が薬剤容器２内に挿入されていても、揮散体１０を液状薬剤Ｌとほぼ同化させることができるので、薬剤容器２内が多数の揮散体１０により雑然とならず、薬剤揮散器１の美観をさらに向上でき、薬剤揮散器１のインテリア性をさらに高めることができる。なお、液状薬剤Ｌに色が付いていても、揮散体１０は、外周の溝１１及び／又は内部の空洞１４を通過する液状薬剤Ｌにより、その大部分が外部の液状薬剤Ｌと同色になるため、揮散体１０は液状薬剤Ｌの中で見えにくくなる。また、揮散体１０を液状薬剤Ｌの色と同一色又は同系色とすると、揮散体１０を液状薬剤Ｌの中でさらに見えにくくすることができる。なお、同系色とは、似通った色のことをいい、色相環で隣り合う色や近い位置にある色のことをいい、青色と水色、オレンジ色と黄色、緑と黄緑色などを例示することができる。
【００５３】
また、揮散体１０は、液状薬剤Ｌとの親和性が高い材料で形成されることが好ましい。揮散体１０が液状薬剤Ｌとの親和性が高い材料で形成されていることで、液状薬剤Ｌが揮散体１０の各溝１１で吸い上げられる際に、液状薬剤Ｌが溝１１の表面にべったりと付くように広がり、液状薬剤Ｌは溝１１の表面に対して接触する面積が大きくなる。そのため、図１３に示すように、液状薬剤Ｌが揮散体１０の各溝１１で吸い上げられる際に、液状薬剤Ｌの液面の高さが溝１１の深さ（突条１３の高さ）Ｈよりも低くなり、液状薬剤Ｌの液面は溝１１の外縁（突条１３の頂部１３Ａ）よりも外部空間側へ盛り上がらない。よって、揮散体１０の薬剤容器２から露出した上端側の部分に手や服、カーテンなどが触れた場合でも、突条１３の頂部１３Ａが最初に手などに触れて、溝１１内の液状薬剤Ｌが手などに付着し難くなるため、手などが液状薬剤Ｌにより汚れることを抑制することができる。
【００５４】
なお、揮散体１０が液状薬剤Ｌとの親和性が低い材料で形成されていると、液状薬剤Ｌが揮散体１０の各溝１１で吸い上げられる際に、溝１１の表面で液状薬剤Ｌを弾いた状態となり、液状薬剤Ｌは溝１１の表面に対して接触する面積が小さくなる。そのため、図１４に示すように、液状薬剤Ｌが揮散体１０の各溝１１で吸い上げられる際に、液状薬剤Ｌの液面の高さが突条１３の高さＨよりも高くなり、液状薬剤Ｌの液面は突条１３の頂部１３Ａよりも外部空間側へ盛り上がる。よって、揮散体１０の薬剤容器２から露出した上端側の部分に手や服、カーテンなどが触れた場合に、溝１１内の液状薬剤Ｌが手などに付着し易くなる。
【００５５】
液状薬剤Ｌとの親和性が高い材料としては、図１５に示すような液状薬剤Ｌの接触角αが９０°以下の材料、好ましくは７０°以下の材料、より好ましくは５０°以下の材料、より好ましくは３０°以下の材料、さらに好ましくは１０°以下の材料を挙げることができる。この接触角αは、揮散体１０に用いられる材料からなり、表面が平坦な薄板Ｂ（大きさ：６０ｍｍ×２０ｍｍ、厚み：５ｍｍ程度）の表面の汚れを除去した後、例えばマイクロピペットを用いて６μＬ程度の液状薬剤Ｌの液滴を薄板Ｂの表面に着滴し、１０００ｍｓ後の液滴の接触角αを接触角計（協和界面化学社製：ＤｒｏｐＭａｓｔｅｒ５００、測定解析統合ソフト：ＦＡＭＡＳ）により計測することができる。
【００５６】
上述した揮散体１０を形成する材料としては、例えばガラスや、透明な樹脂などを用いることができ、透明な樹脂としては、例えばポリカーボネート、アクリル樹脂、ポリプロピレン、ポリエチレン、低密度ポリエチレン、フッ化ビニリデン、ポリアミド、ポリスチレン、塩化ビニルなどを好ましく用いることができる。
【００５７】
揮散体１０は、上述した揮散体１０を形成するための材料を用いて一般的な公知の成形方法（例えば樹脂では押出し成形など、例えばガラスではドロー成形など）により形作ることができる。なお、揮散体１０は、押し出し成形などで形成することで、一本物（１つの棒状体や板状体など）で構成することが好ましく、隙間や孔が全くあるいはほとんどない緻密体とすることが好ましい。これにより、揮散体１０は内部に実質的に液状薬剤Ｌが含浸しないので、揮散体１０が過剰に液状薬剤Ｌを保持した状態になることがなく、薬剤容器２内から液状薬剤Ｌがなくなると、揮散体１０も直ちに保持している液状薬剤Ｌを失うため、使用終期を容易に把握することができる。また、揮散体１０において、外周の溝１１や内部の空洞１４以外に液状薬剤Ｌが通る流路をなくすことができるので、揮散体１０による液状薬剤Ｌの吸い上げ速度を所望の設定速度に保持することができる。
【００５８】
なお、揮散体１０の材質は特に限定されるものではなく、揮散体１０は、上述した材料以外で形成されてもよい。例えば、従来から揮散体１０に用いられている公知の材料、例えばラタンや植物などの天然素材、造花などで揮散体１０を形成してもよい。
【００５９】
以上、上述した構成の薬剤容器２及び当該薬剤容器２を用いた薬剤揮散器１によれば、口部５の内壁面５１に複数の嵌入部６が周方向に沿って設けられているので、口部５の開口５０から薬剤容器２に挿入した複数の揮散体１０をそれぞれ嵌入部６に嵌めた状態で口部５の内壁面５１に立て掛けることにより、嵌入部６によって各揮散体１０の口部５の内壁面５１に沿った移動を抑制することができる。よって、例えば薬剤容器２を移動させたり、揮散体１０に手が触れるなどしても、揮散体１０は、口部５の内壁面５１に沿って移動することが規制されているので、揮散体１０同士がくっついて密集することを抑制することができる。
【００６０】
また、嵌入部６が開口５０側に向かうに連れて下降するように傾斜することにより、揮散体１０のより広範囲を嵌入部６に嵌めることができる。よって、嵌入部６によって各揮散体１０の口部５の内壁面５１に沿った移動をより効果的に抑制することができ、揮散体１０同士がくっついて密集することをより効果的に抑制することができる。
【００６１】
また、嵌入部６は、口部５の内壁面５１において、周方向に隣り合う嵌入部６との間に間隔をおいて設けられることにより、揮散体１０が隣り合う嵌入部６に移動し難くなる。そのため、揮散体１０同士がくっついて密集することをより効果的に抑制することができる。
【００６２】
また、口部５の内壁面５１が上側に傾斜面５１Ｂを含むことにより、揮散体１０が吸い上げた液状薬剤Ｌが口部５の内壁面５１に付着した場合でも、傾斜面５１Ｂに沿って付着した液状薬剤Ｌを開口５１から薬剤容器２の内部に誘導することができる。また、キャップ４の天面部４０の上面が開口５０に向かうに連れて下降するように傾斜していることにより、揮散体１０からの液状薬剤Ｌがキャップ４の天面部４０に滴下した場合でも、天面部４０の上面に沿って滴下した液状薬剤Ｌを開口５１から薬剤容器２の内部に誘導することができる。よって、薬剤容器２の上面や外周面に液状薬剤Ｌが付着することを防止できるので、薬剤容器２の外周面を液状薬剤Ｌが垂れることで家財を侵すことを防止することができ、また、薬剤容器２に手や服、カーテンなどが触れても、手などが液状薬剤Ｌにより汚れることを防止することができる。
【００６３】
以上、本発明の一実施形態について説明したが、本発明は上記実施形態に限定されるものではなく、その趣旨を逸脱しない限りにおいて、種々の変更が可能である。
【００６４】
例えば上記実施形態では、嵌入部６が口部５の内壁面５１に形成される凹部５２や、口部５の内壁面５１から突き出る一対の突起５３の間の凹部５４により構成されているが、揮散体１０が嵌まる構造であれば、特に限定されるものではなく、他の種々の構造を採用することができる。例えば、図１６に示すように、口部５の内壁面５１を断面視多角形状に形成することで、多角形の内壁面５１の角５５で嵌入部６を構成してもよい。この場合においても、揮散体１０の一部分が嵌入部６（角５５）の内側において挟まれて揮散体１０の両側が嵌入部６（角５５）により押えられることにより、揮散体１０が嵌入部６（角５５）に拘束されて口部５の内壁面５１に沿って移動し難くなる。よって、口部５の開口５０から挿入されて内壁面５１に立て掛けられた複数の揮散体１０がそれぞれ嵌入部６（角５５）の内側に入って嵌まることで、複数の揮散体１０は口部５の内壁面５１に沿って移動することが規制されるので、揮散体１０同士がくっついて密集することを抑制することができる。
【００６５】
口部５の内壁面５１の多角形状は、特に限定されるものではないが、角５５の内角が小さいほど、角５５により揮散体１０を効果的に拘束して移動し難くすることができるために好ましく、例えば１５０°以下が好ましく、１４０°以下がより好ましい。一方で、角５５の内角が小さすぎると、口部５の内壁面５１に設けることができる角５５（嵌入部６）の数が少なくなるため、例えば１２０°以上が好ましく、１３０°以上がより好ましい。そのため、口部５の内壁面５１は、断面視で正六角形状（図１６（ａ））、正八角形状（図１６（ｂ））、又は正十二角形状（図１６（ｃ））を呈することが好ましい。
【００６６】
口部５の内壁面５１の多角形状は、辺の長さが大きいほど、揮散体１０が隣り合う角５５に移動し難くなるため、揮散体１０同士がくっついて密集することをより効果的に抑制することができる。辺の長さは１．０ｃｍ以上が好ましく、１．５ｃｍ以上がより好ましく、２．０ｃｍ以上がさらに好ましい。一方で、辺の長さは、大きすぎると、口部５の開口５０を大きくする必要があるため、辺の長さは４．０ｃｍ以下が好ましく、３．０ｃｍ以下がより好ましい。
【００６７】
また、上記実施形態では、口部５の内壁面５１は上側に傾斜面５１Ｂを含むが、内壁面５１は鉛直面５１Ａのみで構成されていてもよい。
【００６８】
また、上記実施形態では、キャップ４の天面部４０は上面が傾斜しているが、天面部４０の上面は必ずしも傾斜している必要はなく、水平であってもよい。
【００６９】
また、上記実施形態では、薬剤容器２が容器本体３及びキャップ４で構成され、揮散体１０を挿入するための開口５０を有する口部５がキャップ４に備えられているが、薬剤容器２を容器本体３のみで構成してもよく、その場合は、容器本体３の首部３１を口部５とし、首部３１の内壁面に嵌入部６を形成することができる。
【符号の説明】
【００７０】
１    薬剤揮散器
２    薬剤容器
５    口部
６    嵌入部
１０  揮散体
３０  収容空間
４０  天面部
５０  開口
５１  内壁面
５１Ａ  鉛直面
５１Ｂ  傾斜面
５２  凹部
５３  突起
５４  凹部
５５  角
Ｌ    液状薬剤
【図１】
2020001743.tif 000003
【図２】
2020001743.tif 000004
【図３】
2020001743.tif 000005
【図４】
2020001743.tif 000006
【図５】
2020001743.tif 000007
【図６】
2020001743.tif 000008
【図７】
2020001743.tif 000009
【図８】
2020001743.tif 000010
【図９】
2020001743.tif 000011
【図１０】
2020001743.tif 000012
【図１１】
2020001743.tif 000013
【図１２】
2020001743.tif 000014
【図１３】
2020001743.tif 000015
【図１４】
2020001743.tif 000016
【図１５】
2020001743.tif 000017
【図１６】
2020001743.tif 000018